(57)【要約】  色覚検査装置（１００）は、観察者が色の見分け作業を行うための視標（２００）を視標提示領域に提示する視標提示部（１１）と、視標提示部（１１）により提示された視標（２００）を観察者が見て色の見分け作業を行ったときに、色の見分けの正解数を判断結果として記憶する記憶部（２０）とを備え、視標（２００）は、下地となる所定の色の第一の視標（２０１）と、第一の視標（２０１）の上に重畳され、かつ、第一の視標（２０１）の色とは異なる色の第二の視標（２０２）とを有し、第一の視標（２０１）及び第二の視標（２０２）は、色として、色相、彩度及び明度の少なくとも何れかを変更することができ、第二の視標（２０２）は、さらに、透明度を変更することができる。
2016194319.tif 000002
【特許請求の範囲】
【請求項１】
観察者が色の見分け作業を行うための視標を視標提示領域に提示する視標提示部と、
前記視標提示部により提示された前記視標を前記観察者が見て前記色の見分け作業を行ったときに、色の見分けの正解数を判断結果として記憶する記憶部とを備え、
前記視標は、下地となる所定の色の第一の視標と、前記第一の視標の上に重畳され、かつ、前記第一の視標の色とは異なる色の第二の視標とを有し、
前記第一の視標及び前記第二の視標は、色として、色相、彩度及び明度の少なくとも何れかを変更することができ、
前記第二の視標は、さらに、透明度を変更することができる
色覚検査装置。
【請求項２】
前記視標は、前記視標提示領域の複数の位置に提示され、
前記記憶部は、前記判断結果と前記複数の位置とを関連付けて記憶する
請求項１に記載の色覚検査装置。
【請求項３】
前記色の見分け作業を行う回数を設定する作業回数設定部を備え、
前記記憶部は、前記判断結果を前記回数による平均値で記憶する
請求項１又は２に記載の色覚検査装置。
【請求項４】
前記色の見分け作業を行う前記観察者の属性を入力する観察者属性入力部を備え、
前記記憶部は、さらに、前記観察者の属性を記憶する
請求項１乃至３の何れか１項に記載の色覚検査装置。
【請求項５】
前記観察者の視線位置を固定する視線位置固定部を備える
請求項１乃至４の何れか１項に記載の色覚検査装置。
【請求項６】
前記視標提示領域には、照明光源からの照明光が照射される
請求項１乃至５の何れか１項に記載の色覚検査装置。
【請求項７】
前記照明光の照度、前記照明光の波長分布、前記照明光の色温度、前記照明光のチラツキ、及び、前記照明光の配光分布の少なくとも１つの照明情報を計測する照明光計測部を備え、
前記記憶部は、前記判断結果と前記照明情報とを関連付けて記憶する
請求項６に記載の色覚検査装置。
【請求項８】
コンピュータを、請求項１乃至７の何れか１項に記載の色覚検査装置として機能させるためのプログラム。
【発明の詳細な説明】
【技術分野】
【０００１】
本発明は、色覚検査装置及びプログラムに関する。
【背景技術】
【０００２】
従来、人が物体を見るときの色のみえ方を評価する方法としては、色盲又は色弱等の色覚異常（色覚障害）の有無を判断する方法が存在する。例えば、検査本などにより色覚異常者にとってわかりにくい図又は記号等を被検査者に提示することで、色覚異常の有無を判断する方法が知られている。また、色覚異常を検査する色覚検査装置も提案されている（例えば、特許文献１）。
【先行技術文献】
【特許文献】
【０００３】
【特許文献１】特開平６−３３５４５２号公報
【発明の概要】
【発明が解決しようとする課題】
【０００４】
しかしながら、これまでの方法又は装置では、色覚異常とまでは言えない軽度の症状又は加齢に伴う視機能低下などによる、色の見分けに関する日常生活での困りごとの有無を判断することができない。【０００５】
色の見分けに関する日常生活での困りごととしては、例えば、黒と濃紺の衣服を間違えたり生鮮食品（トマト、肉など）の鮮度が分からなかったりすること、また、医療現場において医療従事者が患者の顔色が分からなかったり患者自身が血痰又は血便を見逃したりすること、あるいは、加齢により水晶体の黄濁がひどくなって青色の感度が低下して青と黄色との見分けがつきにくくなることなどが挙げられる。【０００６】
このような色の見分けに関する日常生活での困りごとについては、瞬時では色を見分けることができなくても、時間をかければ色を見分けられる場合もある。つまり、色の見分けに要する時間も色の見分けの評価を行う際の判断要素となりうる。【０００７】
一方、物体の色をより鮮やかに見せることを目的とした照明光源が商品化されているが、その効果については理論値又は体験による実感などにとどまっており、定量化されていないのが現実である。【０００８】
本発明は、日常生活における色のみえ方を適切に評価できる方法に関するものであり、日常生活において色を間違う可能性の有無を判断したり色を鮮やかに見せる照明光源の照明効果を定量化したりできる色覚検査装置を提供することを目的とする。
【課題を解決するための手段】
【０００９】
上記目的を達成するために、本発明に係る色覚検査装置の一態様は、観察者が色の見分け作業を行うための視標を視標提示領域に提示する視標提示部と、前記視標提示部により提示された前記視標を前記観察者が見て前記色の見分け作業を行ったときに、色の見分けの正解数を判断結果として記憶する記憶部とを備え、前記視標は、下地となる所定の色の第一の視標と、前記第一の視標の上に重畳され、かつ、前記第一の視標の色とは異なる色の第二の視標とを有し、前記第一の視標及び前記第二の視標は、色として、色相、彩度及び明度の少なくとも何れかを変更することができ、前記第二の視標は、さらに、透明度を変更することができる。【００１０】
なお、本発明は、コンピュータを上記色覚検査装置として機能させるためのプログラムとして実現したり、そのプログラムを格納したコンピュータ読み取り可能な記録媒体として実現したりすることもできる。
【発明の効果】
【００１１】
日常生活において色を間違う可能性の有無を判断したり色を鮮やかに見せる照明光源の効果を定量化したりできる。
【図面の簡単な説明】
【００１２】
【図１】図１は、実施の形態に係る色覚検査装置の基本的な構成を示すブロック図である。
【図２】図２は、色覚検査装置を用いた色の見え方を評価する方法において、観察者が色の見分け作業を行うときの様子を示す図である。
【図３】図３は、色覚検査装置を用いた色の見え方を評価する方法を行う際に用いられる装置を示す図である。
【図４】図４は、色覚検査装置を用いた色の見え方を評価する方法において、視標提示領域に提示される視標の一例を示す図である。
【図５】図５は、色覚検査装置を用いた色の見え方を評価する方法において、色の見分け作業の結果（正誤表）の一例を示す図である。
【図６】図６は、実施の形態に係る他の色覚検査装置の構成を示すブロック図である。
【図７】図７は、変形例１に係る色覚検査装置の構成を示すブロック図である。
【図８】図８は、変形例２に係る色覚検査装置の構成を示すブロック図である。
【発明を実施するための形態】
【００１３】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。なお、各図において、実質的に同一の構成に対しては同一の符号を付しており、重複する説明は省略又は簡略化する。
【００１５】
（実施の形態）
実施の形態に係る色覚検査装置１００の構成について、図１を用いて説明する。図１は、実施の形態に係る色覚検査装置１００の基本的な構成を示すブロック図である。
【００１６】
色覚検査装置１００は、観察者に視標２００を提示して色の見分け作業（検査）を行わせることで観察者の色覚の検査等を行うための装置であり、図１に示すように、処理部１０と、記憶部２０とを備える。
【００１７】
処理部１０は、各種制御機能を有する制御部であり、本実施の形態では、視標提示部１１を有する。視標提示部１１は、観察者が色の見分け作業を行うための視標２００を視標提示領域に提示する。
【００１８】
視標提示領域は、例えば、色の見分け作業を行う際に観察者が向き合うデスク等のデスク面、又は、色の見分け作業を行う際に観察者が観察するディスプレイ等の表示装置等の表示面である。つまり、視標２００は、デスク面等の投影面に投影される投影画像であってもよいし、表示装置の表示面に表示される表示画像であってもよい。
【００１９】
記憶部２０は、視標提示部１１により提示された視標２００を観察者が見て色の見分け作業を行ったときに、色の見分けの正解数を判断結果として記憶する。本実施の形態では、視標２００が視標提示領域の複数の位置に提示されるので、記憶部２０は、この判断結果と、視標２００の複数の位置とを関連付けて記憶する。記憶部２０は、さらに、色の見分け作業を行ったときの作業時間（取り組み時間）を記憶してもよい。
【００２０】
記憶部２０は、例えば、ＳＲＡＭ又はＤＲＡＭ等の揮発性の記憶装置からなる主記憶装置、もしくは、磁気ディスク、光ディスク、光磁気ディスク又は半導体メモリ等の不揮発性の記憶装置からなる補助記憶装置によって構成される。
【００２１】
なお、色覚検査装置１００は、色の見分けの正解数を表示するための表示部（不図示）を備えていてもよい。
【００２２】
図１に示すように、視標２００は、下地となる所定の色の第一の視標２０１と、第一の視標２０１の上に重畳され、かつ、第一の視標２０１の色とは異なる色の第二の視標２０２とを有する。つまり、第二の視標２０２は、第一の視標２０１を背景として第一の視標２０１の上に重なるように提示される。したがって、第一の視標２０１と第二の視標２０２との間には余白が存在しない。
【００２３】
第一の視標２０１の色及び第二の視標２０２の色は、例えば、赤色、緑色及び青色等の単色である。一例として、赤色に対する感度の低さの色覚検査を行う場合の視標２００については、第一の視標２０１は緑色で、第二の視標２０２は赤色である。
【００２４】
また、視標２００の形状については、任意である。本実施の形態において、第一の視標２０１は略長方形等の図形で、第二の視標２０２はＮ字等の文字であるが、これに限るものではない。例えば、第一の視標２０１及び第二の視標２０２はいずれも所定の色の図形によって構成されていてもよい。視標２００（第二の視標２０２）の縦横の大きさは、例えば数ｃｍ程度であるが、これに限るものではない。
【００２５】
第一の視標２０１及び第二の視標２０２は、色として、色相、彩度及び明度の少なくとも何れかを変更することができる。つまり、第一の視標２０１及び第二の視標２０２は、色の三属性を変更することができる。具体的には、視標２００をディスプレイに表示したり投影面に投影したりする場合、視標２００は、ＲＧＢフルカラーで表示することができ、第一の視標２０１及び第二の視標２０２は、所望の色の設定で表示することができるとともに所望の色に変更することができる。
【００２６】
第二の視標２０２は、さらに、透明度（透過性）を変更することができる。第二の視標２０２の透明度は、例えば、０％〜１００％の範囲で１％ごとに変更することができる。この場合、透明度が０％とは不透明であることを意味し、透明度が１００％とは完全透明であることを意味する。なお、本実施の形態では、第一の視標２０１についても、第二の視標２０２と同様に、透明度を変更することができる。
【００２７】
ここで、色覚検査装置１００を用いた色の見え方を評価する方法の一例として、人の色覚検査方法について説明する。
【００２８】
この場合、まず、色覚検査装置１００を用いて所定の視標提示領域に視標２００を提示して、観察者に対して視標２００の色の見分け作業を行わせる。具体的には、ディスプレイに表示された視標２００について、観察者が第二の視標２０２の色の見分けを正しく行うことができるか否かを行う。その結果、観察者が色の見分けができた場合は正解（正解）とし、観察者Ｐが色の見分けができなかった場合は不正解（誤）とする。この色の見分けの正解数を判断結果として、観察者の色覚を評価することができる。
【００２９】
なお、色の見分けの正解数（判断結果）は、記憶部２０に記憶される。また、色の見分けの正解数（判断結果）は、観察者Ｐ（被検査者）又は検査させる者に見せるために、表示部に表示してもよい。
【００３０】
次に、色覚検査装置１００を用いた色の見え方を評価する方法の他の例について、図２〜図４を用いて説明する。図２〜図４は、色覚検査装置１００を用いた色の見え方を評価する方法を説明するための図であり、図２は観察者Ｐが色の見分け作業を行うときの様子を示す図、図３はこの方法を行う際に用いられる装置を示す図、図４は視標提示領域に提示される視標の一例を示す図である。
【００３１】
この場合、色覚検査装置１００は、観察者Ｐの色覚を検査する色覚検査装置としてだけではなく、照明光源３００を評価するための照明評価装置としても用いられる。具体的には、照明光源３００による照明環境下で観察者Ｐに視標２００を提示して色の見分け作業を行わせることで照明光源３００の評価を行っている。
【００３２】
図２及び図３に示すように、本実施の形態では、デスク４００に照明光源３００としてデスクライトを設置して色の見分け作業を行っている。したがって、視標提示領域であるデスク面４０１には照明光源３００からの照明光が照射されている。また、色覚検査装置１００は、例えばノートパソコンであり、本実施の形態では、色覚検査装置１００（ノートパソコン）からプロジェクタ５００に視標２００の映像データを入力することで、デスク面４０１に視標２００を投影している。
【００３３】
図３及び図４に示すように、視標２００は、デスク面４０１（視標提示領域）の複数の位置に提示される。つまり、デスク面４０１には複数の視標２００が投影される。具体的には、視標提示領域が複数の領域に区分されており、これらの複数の領域の各々に視標２００が提示される。
【００３４】
視標提示領域に提示された複数の視標２００は、互いに異なる態様となっている。具体的には、複数の視標２００は、第一の視標２０１の色（色相、彩度及び明度）、第一の視標２０１の透明度、第一の視標２０１の形状や大きさ、向き、第二の視標２０２の色（色相、彩度及び明度）、第二の視標２０２の透明度、第二の視標２０２の形状や大きさ、向き、及び、第一の視標２０１における第二の視標２０２の位置のいずれかが互いに異なっている。なお、本実施の形態において、複数の視標２００は、第一の視標２０１の色及び透明度は同じである。
【００３５】
なお、よく使用する視標２００の態様（色、透明度、形状等）は、予めプリセットしておいてもよい。つまり、よく使用する視標２００の態様を予め記憶部２０に記録しておいてもよい。また、前回の検査時に使用した視標２００の態様を呼び出すことができるようにしてもよい。
【００３６】
観察者Ｐは、視標提示領域の複数の位置に提示された各視標２００について色の見分け作業を行う。具体的には、観察者Ｐは、デスク面４０１に投影された各視標２００について色の見分け作業を行う。例えば、観察者Ｐが第二の視標２０２の色の見分けを正しく行うことができるか否かを行う。その結果、観察者Ｐが色の見分けができた場合は正解（正解）とし、観察者Ｐが色の見分けができなかった場合は不正解（誤）とする。
【００３７】
図５は、その色の見分け作業の結果（正誤表）の一例を示している。なお、図５では、正解（正）を「○」で示し、不正解（誤）を「×」で示している。
【００３８】
この色の見分けの正解数は、判断結果として色覚検査装置１００の記憶部２０に記憶される。本実施の形態において、この判断結果は、視標２００が提示された視標提示領域における複数の位置と関連付けて記憶される。また、記憶部２０には、各視標２００の色分け作業ごとに、色の見分けを行った作業時間も記憶される。
【００３９】
また、図６に示すように、色覚検査装置１００は、照明光源３００が照射する照明光の照明情報を計測する照明光計測部３０を備えていてもよい。照明光計測部３０は、照明光源３００について、照明光の照度、照明光の波長分布、照明光の色温度、照明光のチラツキ、及び、照明光の配光分布の少なくとも１つの照明情報を計測する。照明光計測部３０は、各種計測器やセンサ等からなり、例えば、視標提示領域上の複数の箇所における照明情報を計測する。
【００４０】
この場合、視標２００についての色の見分けの判断結果は、照明情報と関連付けて記憶されていてもよい。つまり、記憶部２０は、色の見分けの判断結果と照明情報とを関連付けて記憶してもよい。
【００４１】
また、色覚検査装置１００は、観察者Ｐの視線位置を固定する視線位置固定部として、例えば観察者Ｐのあごを支えるあご台等を備えていてもよい。
【００４２】
以上のとおり、本実施の形態における色覚検査装置１００は、視標２００を視標提示領域に提示する視標提示部１１と、視標提示部１１により提示された視標２００を観察者が見て色の見分け作業を行ったときに色の見分けの正解数を判断結果として記憶する記憶部２０とを備える。
【００４３】
視標２００は、下地となる所定の色の第一の視標２０１と、第一の視標２０１の上に重畳され、かつ、第一の視標２０１の色とは異なる色の第二の視標２０２とを有しており、第一の視標２０１と第二の視標２０２との間には余白が存在しない。
【００４４】
このように、日常には存在しない余白のない視標２００を用いて色の見分け作業を行うことによって、より日常生活で起こりうる状態について、色の見え方の評価又は検査を行うことができる。
【００４５】
また、本実施の形態において、第一の視標２０１及び第二の視標２０２は、色として、色相、彩度及び明度の少なくとも何れかを変更することができる。
【００４６】
これにより、試してみたい色について、自由な組み合わせで色の見え方の評価又は検査を行うことができる。
【００４７】
また、第二の視標２０２は、さらに、透明度を変更することができる。
【００４８】
これにより、より実際の日常生活に近い視標（例：血痰など）を模擬的に評価することができる。また、第二の視標２０２の透明度を変更して視標２００の態様を変化させることで、色彩のバランスを考慮せずに、より直感的に視標２００の態様を変更することができる。
【００４９】
このように、本実施の形態における色覚検査装置１００によれば、色覚異常の有無だけではなく、色覚異常とまでは言えない軽度の症状又は加齢に伴う視機能低下などによる、色の見分けに関する日常生活での困りごとの有無を判断することができる。つまり、日常生活において色を間違う可能性の有無を判断することができる。
【００５０】
さらに、本実施の形態では、視標２００は視標提示領域の複数の位置に提示されており、記憶部２０は、色の見分け作業の判断結果（色の見分けの正解数）と、視標２００が提示される複数の位置とを関連付けて記憶している。
【００５１】
これにより、視標２００が提示される位置によって観察者Ｐの回答内容に偏りがないかを検討することができる。したがって、より精度の高い評価結果を得ることができる。さらにに、視標２００の色の見分け作業に要する作業時間も考慮することで、さらに精度の高い評価結果を得ることができる。
【００５２】
また、本実施の形態において、視標提示領域には照明光源３００からの照明光が照射されている。つまり、視標２００に照明光源３００が照射されており、観察者Ｐは、照明光源３００の照明環境下で色の見分け作業を行っている。
【００５３】
これにより、照明光源３００についての色の見え方を評価することができる。つまり、物体の色を鮮やかに見せる照明光源（照明装置）の照明効果を定量化して評価することができる。
【００５４】
この場合、本実施の形態において、色覚検査装置１００は、照明光源３００の照明情報を計測する照明光計測部３０を備えており、記憶部２０は、視標２００についての色の見分けの判断結果とこの照明情報とを関連付けて記憶している。
【００５５】
このように、色のみえ方の評価をしたい照明光源３００の特性を、色の見分けの結果とともに記憶することによって、照明光源３００のどの要素が見え方に影響を与えるのかを検討することができる。
【００５６】
なお、照明光計測部３０に代えて、照明情報を取得する照明情報取得部を備えていてもよい。照明情報取得部は、ユーザの操作に応じて照明条件を入力する入力手段であり、例えばキーボード、マウス、タッチパネル等のユーザインターフェースである。
【００５７】
また、本実施の形態において、色覚検査装置１００は、観察者Ｐの視線位置を固定する視線位置固定部を備えている。
【００５８】
これにより、検査時の観察者Ｐの視点位置のずれを抑えることができるので、検査間で視標２００の像が結ばれる観察者Ｐの目の網膜上の位置を固定したり、観察者Ｐにおける視標２００のみえ方（視力）を固定したりすることができる。したがって、さらに精度の高い評価結果を得ることができる。
【００５９】
（変形例１）
図７は、変形例１に係る色覚検査装置１００Ａの構成を示すブロック図である。
【００６０】
図７に示すように、本変形例における色覚検査装置１００Ａは、処理部１０と、記憶部２０と、色の見分け作業を行う回数を設定する作業回数設定部４０とを備える。
【００６１】
作業回数設定部４０は、例えば、視標提示領域の複数の位置に提示された各視標２００ごとについて行う色の見分け作業の回数を設定する。
【００６２】
この場合、記憶部２０は、色の見分け作業の判断結果を、作業回数設定部４０で設定された回数による平均値で記憶するとよい。例えば、色の見分け作業を行う回数を４回で設定した場合、１つの視標２００に対して４回の色の見分け作業を行ったときに正解数が３回であったとすると、記憶部２０は、その平均値（０．７５回）を判断結果として記憶する。
【００６３】
以上、本変形例によれば、上記実施の形態と同様の構成を備えるので、上記実施の形態と同様の効果を得ることができる。
【００６４】
さらに、本変形例では、色の見分け作業を行う回数を設定する作業回数設定部４０を備えており、記憶部２０は、色の見分け作業の判断結果をその回数による平均値で記憶している。
【００６５】
このように複数回の見分け作業を行って平均をとることによって、より安定した評価結果を得ることができる。
【００６６】
（変形例２）
図８は、変形例２に係る色覚検査装置１００Ｂの構成を示すブロック図である。
【００６７】
図８に示すように、本変形例における色覚検査装置１００Ｂは、処理部１０と、記憶部２０と、色の見分け作業を行う観察者Ｐの属性（観察者情報）を入力する観察者属性入力部５０とを備える。
【００６８】
この場合、記憶部２０は、さらに、観察者属性入力部５０で入力された観察者Ｐの属性を記憶する。このとき、記憶部２０は、観察者Ｐの属性を、色の見分け作業の判断結果と関連付けて記憶するとよい。
【００６９】
観察者Ｐの属性は、例えば、名前（ＩＤ）、年齢（生年月日）、性別、作業日、検査期間（初めて検査を行った日からの経過時間又はステージ）、視機能情報（視力等その他検査結果）、病歴（通院歴）、眼鏡等の有無、見分けにくい色情報、又は、自由記述等の情報である。観察者属性入力部５０は、例えばキーボード、マウス、タッチパネル等のユーザインターフェースである。
【００７０】
以上、本変形例によれば、上記実施の形態と同様の構成を備えるので、上記実施の形態と同様の効果を得ることができる。
【００７１】
さらに、本変形例では、色の見分け作業を行う観察者Ｐの属性を入力する観察者属性入力部５０を備えており、記憶部２０は、さらに、観察者Ｐの属性を記憶する。
【００７２】
このように、観察者Ｐ（被験者）の属性を、判断結果とともに記録することによって、観察者（Ｐ）のどの要素が見え方に影響を与えるのかを検討することができる。また、観察者毎に評価結果を整理することができる。これにより、評価結果の精度が向上する。
【００７３】
（その他変形例等）
以上、本発明に係る色覚評価方法及び色覚検査装置（照明評価装置）等について、実施の形態及び変形例に基づいて説明したが、本発明は、上記の実施の形態及び変形例に限定されるものではない。
【００７４】
例えば、上記の実施の形態において、複数の視標２００は、複数に区分された視標提示領域に提示したが、これに限るものではなく、複数の視標２００は、視標提示領域（デスク面４０１）の任意の位置に提示されていてもよい。つまり、観察者Ｐは、複数の視標２００が視標提示領域のどの位置に提示されているかを認識することなく色の見分け作業を行ってもよい。
【００７５】
また、上記の実施の形態において、視標提示領域に提示された複数の視標２００は、全て異なる態様としたが、これに限定されるものではない。複数の視標２００の中に同じ態様のものが存在していてもよいし、全て同じ態様であってもよい。
【００７６】
また、上記の実施の形態において、視標提示領域はデスク面４０１であり、視標２００はデスク面４０１に投影された投影画像であったが、これに限るものではない。例えば、視標２００を色覚検査装置１００（パソコン）のディスプレイに表示されて、観察者Ｐがディスプレイ（視標提示領域）に表示された視標２００について色の見分け作業を行ってもよい。この場合、照明光源３００を評価する場合、照明光源３００からの照明光は、ディスプレイに照射される。
【００７７】
また、上記の実施の形態では、評価する照明光源３００としてデスクライトを例示したが、これに限るものではない。例えば、照明光源３００としては、シーリングライト、スポットライト又はダウンライト等の照明器具、あるいは、電球形ランプ又は直管形ランプ等の各種ランプ等であってもよい。なお、照明光源３００に用いられる発光光源は、例えばＬＥＤである。
【００７８】
また、上記の実施の形態において、視標２００は、投影画像又は表示画像等の電子的な画像であったが、これに限るものではない。例えば、視標２００は、紙等の媒体に描画されたものであってもよい。
【００７９】
その他、上記実施の形態及び変形例に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【００８０】
また、上記の説明において、処理部１０における各構成は、回路であってもよい。これらの回路は、全体として１つの回路を構成してもよいし、それぞれ別々の回路でもよい。また、これらの回路は、それぞれ、汎用的な回路でもよいし、専用の回路でもよい。
【００８１】
また、処理部１０等、色覚検査装置１００の動作として説明した処理は、コンピュータが実行してもよい。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。
【００８２】
また、上記の各処理を実行するためのプログラムが、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。
【符号の説明】
【００８３】
１１  視標提示部
２０  記憶部
３０  照明光計測部
４０  作業回数設定部
５０  観察者属性入力部
１００、１００Ａ、１００Ｂ  色覚検査装置
２００  視標
２０１  第一の視標
２０２  第二の視標
３００  照明光源
４０１  デスク面（視標提示領域）
【図１】
2016194319.tif 000003
【図２】
2016194319.tif 000004
【図３】
2016194319.tif 000005
【図４】
2016194319.tif 000006
【図５】
2016194319.tif 000007
【図６】
2016194319.tif 000008
【図７】
2016194319.tif 000009
【図８】
2016194319.tif 000010
【国際調査報告】
2016194319.tif 000011
2016194319.tif 000012
2016194319.tif 000013
2016194319.tif 000014